(57)【特許請求の範囲】
【請求項１】
出力端子対に接続された負荷機器に対して電力を供給する電力供給方法において、
上記負荷機器に対して徐々に０Ｖから定格電圧となる電力を供給した後に該負荷機器の起動を検出し、起動が検出されていない場合には一旦該電力供給を停止した後、前回よりも短い期間において０Ｖから定格電圧となる電力を供給するステップと、
前記負荷機器が起動されたことが検出された場合に、そのときの前記期間の設定情報が設定される設定部材によって所定の設定情報が設定されている場合には、前記負荷機器への電力供給開始の際に、該設定情報に基づく前記期間により０Ｖから定格電圧となる電力を供給するステップと、
を有する、
ことを特徴とする電力供給方法。
【請求項２】
入力端子対に入力される電力を蓄電部材に蓄電するとともに、少なくとも上記入力端子対に入力される電力が異常である場合には、上記蓄電部材に蓄電された電力を出力端子対へ供給する無停電電源装置において、
上記出力端子対に接続された負荷機器の起動状態を確認する起動確認手段と、
上記負荷機器への電力供給開始の際に、徐々に０Ｖから定格電圧となる電力を供給するとともに、その後に上記起動確認手段によって上記負荷機器が起動していないと確認された場合には、一旦該電力供給を停止した後、前回よりも短い期間において０Ｖから定格電圧となる電力を供給する起動制御手段と、
を備え、
前記起動確認手段により前記負荷機器が起動されたことが確認された場合に、そのときの前記期間の設定情報が設定される設定部材を設け、
前記起動制御手段は、上記設定部材によって所定の設定情報が設定されている場合には、前記負荷機器への電力供給開始の際に、該設定情報に基づく前記期間により０Ｖから定格電圧となる電力を供給する、
ことを特徴とする無停電電源装置。
【請求項３】
前記起動確認手段は、
前記出力端子対に供給される負荷電流あるいはこれと相関関係を有する電流を検出する電流検出部材と、
前記負荷機器への電力供給の経過時間を計測する計時手段と、
上記経過時間が前記負荷機器の起動時間あるいはそれよりも長い時間として設定された設定時間以上となった時点において上記電流検出部材によって検出された検出電流を判定し、該検出電流が前記負荷機器の定常動作電流値あるいはそれよりも大きい電流値として設定された設定電流値よりも小さい電流値である場合には、前記負荷機器は起動していないと判定する起動判定手段と、を備えることを特徴とする請求項２記載の無停電電源装置。
【請求項４】
前記起動確認手段は、
前記負荷機器と通信を行う通信部材と、
前記負荷機器への電力供給の経過時間を計測する計時手段と、
上記経過時間が前記負荷機器の起動時間あるいはそれよりも長い時間として設定された設定時間以上となった時点において上記通信部材と前記負荷機器との間で通信を行わせ、前記負荷機器から応答が無かった場合には、前記負荷機器は起動していないと判定する起動判定手段と、を備えることを特徴とする請求項２記載の無停電電源装置。
【発明の詳細な説明】
【０００１】
【発明の属する技術分野】
本発明は、コンピュータなどの負荷機器に対する電力供給方法およびこれを用いた無停電電源装置に係り、特に、突入電流を効果的に抑制することができる電力供給方法およびこれを用いた無停電電源装置に関するものである。
【０００２】
【従来の技術】
従来、電気機器などに安定した電力を供給するために所謂無停電電源装置などが開発されている。この無停電電源装置は、たとえば商用電源と負荷機器との間の電源ライン上に設けられ、商用電源に異常が生じた場合には、内蔵するバッテリから電力を供給することで、負荷機器の安定動作を可能とするものである。
【０００３】
また、この無停電源装置の高機能化の開発も行われており、その中の１つとして所謂ソフトスタート回路が提案されている。このソフトスタート回路は、特開平５−３８１４８号公報や特開２００１−８４６２号公報などに開示されるように、負荷機器への電力供給開始時にその突入電流を抑制するための回路である。これにより、電源ラインの電力の安定化や、突入電流によるバッテリの損傷を抑制することができる。
【０００４】
【発明が解決しようとする課題】
しかしながら、このようなソフトスタート回路を用いた場合、商用電源の異常を検出するような負荷機器の場合には、正常に起動できなくなってしまう場合がある。
【０００５】
そして、このような負荷機器の全てについて調査し、それぞれに対応するソフトスタートモードを用意することも考えられるが、無停電電源装置その他の電力供給機器などは本来それらに接続する負荷機器の種類などを制限しているものではないので、多種多様なあらゆる電気器について対策を施さなければならないこととなり、非現実的である。
【０００６】
本発明は上記のような課題を解決するためになされたものであり、突入電流を効果的に抑制しつつ、負荷機器を確実に起動することができる電力供給方法およびこれを用いた無停電電源装置を得ることを目的とする。
【０００７】
【課題を解決するための手段】
本発明に係る電力供給方法は、出力端子対に接続された負荷機器に対して電力を供給する電力供給方法において、上記負荷機器に対して徐々に０Ｖから定格電圧となる電力を供給した後に該負荷機器の起動を検出し、起動が検出されていない場合には一旦該電力供給を停止した後、前回よりも短い期間において０Ｖから定格電圧となる電力を供給するステップと、前記負荷機器が起動されたことが検出された場合に、そのときの前記期間の設定情報が設定される設定部材によって所定の設定情報が設定されている場合には、前記負荷機器への電力供給開始の際に、該設定情報に基づく前記期間により０Ｖから定格電圧となる電力を供給するステップと、を有するようにしている。
【０００８】
この方法を採用すれば、徐々に０Ｖから定格電圧となる電力にて負荷機器へ電力を供給し、負荷機器が起動しない場合には、徐々にその期間を短くしてゆくことになる。
【０００９】
したがって、最も突入電流が小さくなる方法で負荷機器へ電力を供給し、徐々に突入電流が増加する方法で電力を供給するので、負荷機器が起動可能な電力であって且つ電圧の変化期間がより長い電力にて負荷機器を確実に起動させることができる。
【００１３】
本発明に係る無停電電源装置は、入力端子対に入力される電力を蓄電部材に蓄電するとともに、少なくとも上記入力端子対に入力される電力が異常である場合には、上記蓄電部材に蓄電された電力を出力端子対へ供給する無停電電源装置において、上記出力端子対に接続された負荷機器の起動状態を確認する起動確認手段と、上記負荷機器への電力供給開始の際に、徐々に０Ｖから定格電圧となる電力を供給するとともに、その後に上記起動確認手段によって上記負荷機器が起動していないと確認された場合には、一旦該電力供給を停止した後、前回よりも短い期間において０Ｖから定格電圧となる電力を供給する起動制御手段と、を備え、前記起動確認手段により前記負荷機器が起動されたことが確認された場合に、そのときの前記期間の設定情報が設定される設定部材を設け、前記起動制御手段は、上記設定部材によって所定の設定情報が設定されている場合には、前記負荷機器への電力供給開始の際に、該設定情報に基づく前記期間により０Ｖから定格電圧となる電力を供給するものである。
【００１４】
この構成を採用すれば、徐々に０Ｖから定格電圧となる電力にて負荷機器へ電力を供給し、負荷機器が起動しない場合には、徐々にその期間を短くしてゆく。
【００１５】
したがって、最も突入電流が小さくなる方法で負荷機器へ電力を供給し、徐々に突入電流が増加する方法で電力を供給するので、負荷機器が起動可能な電力であって且つ電圧の変化期間がより長い電力にて負荷機器を確実に起動させることができる。
【００１６】
その結果、起動時にバッテリ供給となる無停電電源装置であったとしても、バッテリの寿命を損なうことなく、あらゆる負荷機器に対する起動が可能となる。
【００１８】
この構成を採用すれば、負荷機器が正常に起動したときの設定情報を設定部材にて設定することができ、負荷機器を起動する度に、場合によっては生じる長い起動シーケンスを実行させることはなく、２回目以降の起動においては短い時間にて起動させることができる。また、設定部材による設定を解除することで、負荷機器の交換などに容易に対応することができる。
【００１９】
特に、設定部材において波形を設定させるのではなく、負荷機器が起動した時の設定情報を保持させるようにすることで、ユーザにおいては正常起動可能な設定を具体的に把握することなく、２回目以降の起動処理を短くすることができる。
【００２０】
本発明に係る無停電電源装置は、前記起動確認手段は、前記出力端子対に供給される負荷電流あるいはこれと相関関係を有する電流を検出する電流検出部材と、前記負荷機器への電力供給の経過時間を計測する計時手段と、上記経過時間が前記負荷機器の起動時間あるいはそれよりも長い時間として設定された設定時間以上となった時点において上記電流検出部材によって検出された検出電流を判定し、該検出電流が前記負荷機器の定常動作電流値あるいはそれよりも大きい電流値として設定された設定電流値よりも小さい電流値である場合には、前記負荷機器は起動していないと判定する起動判定手段と、を備えるものである。
【００２１】
この構成を採用すれば、負荷機器の消費電力に基づいてその起動を判定するので、負荷機器の種類によらずその起動を判定することができる。また、負荷機器の起動時間よりも長い時間が経過した時点における負荷電流を判定するので、起動途中の変化の激しい過度電流にて判定した場合よりも誤り無く起動状態を判定することができる。
【００２２】
本発明に係る無停電電源装置は、前記起動確認手段は、前記負荷機器と通信を行う通信部材と、前記負荷機器への電力供給の経過時間を計測する計時手段と、上記経過時間が前記負荷機器の起動時間あるいはそれよりも長い時間として設定された設定時間以上となった時点において上記通信部材と前記負荷機器との間で通信を行わせ、前記負荷機器から応答が無かった場合には、前記負荷機器は起動していないと判定する起動判定手段と、を備えるものである。
【００２３】
この構成を採用すれば、負荷機器との間で通信を行うことでその起動を判定するので、負荷機器のハードウェア的な起動のみならず、負荷機器のソフトウェアの起動をも含めたトータルな起動状態を判定することができる。
【００２８】
【発明の実施の形態】
以下、図面に基づいて本発明の実施の形態に係る無停電電源装置および電力供給方法について説明する。なお、電力供給方法は、無停電電源装置の動作として説明する。
【００２９】
実施の形態１．
【００３０】
図１は、本発明の実施の形態１に係る無停電電源装置を備える電力供給システムを示す全体構成図である。
【００３１】
この電力供給システムでは、無停電電源装置１の入力端子対２に商用電源３が接続され、無停電電源装置１の出力端子対４に負荷機器としてのコンピュータ５が接続されている。また、このコンピュータ５には、無停電電源管理用のプログラムがインストールされ、このプログラムと無停電電源装置１とは通信ケーブル６を用いてデータを送受信する。
【００３２】
図２は、図１中の無停電電源装置１の構成例を示すブロック図である。
【００３３】
無停電電源装置１の入力端子対２にはコンバータ７が接続されている。コンバータ７の出力には蓄電部材としてのバッテリ８およびインバータ９が接続されている。インバータ９の出力には出力端子対４が接続されている。
【００３４】
入力端子対２とコンバー７タとの間およびインバータ９と出力端子対４との間には、これらの間を流れる電流を検出する電流検出部材としての検出コイル１０，１１が設けられている。これら２つの検出コイル１０，１１は、起動確認手段の一部となるものであり、マイクロコンピュータ１２に接続されている。
【００３５】
マイクロコンピュータ１２は、内部に中央処理装置やメモリ１３を備えるものであり、コンバータ７およびインバータ９の動作を制御する。
【００３６】
また、マイクロコンピュータ１２には、コンピュータ５との間でデータを送受信する通信部材としての通信デバイス１４と、マイクロコンピュータ１２に対して設定情報を出力する設定部材としてのディップスイッチ１５と、時間を計測する計時手段としてのタイマ１６とが接続されている。なお、通信デバイス１４とタイマ１６とは、起動確認手段の一部となる。
【００３７】
メモリ１３内には、監視プログラム１７、起動制御プログラム１８、起動判定プログラム１９、起動設定データ２０、複数組の固定起動設定データ２１，・・・，２２などが記憶されている。
【００３８】
監視プログラム１７は、中央処理装置にて実行されることで無停電電源装置１内に監視手段を実現するものである。この監視手段は、たとえば、入力端子対２から入力される商用電源３の状態を検出コイル１０などで監視し、電力品質が悪化したり、電力遮断が生じたりした場合には、コンバータ７の動作を停止させる。これにより、バッテリ８に蓄電された直流電力がインバータ９により交流電力に変換されることになり、商用電源３に異常があったとしても、この交流電力によって出力端子対４に接続されたコンピュータ５を正常に動作させ続けることができる。
【００３９】
起動判定プログラム１９は、中央処理装置にて実行されることで無停電電源装置１内に起動判定手段を実現するものである。この起動判定手段は、ディップスイッチ１５の設定に応じた起動判定方法にて出力端子対４に接続された負荷機器の起動状態を判定する。また、この起動判定手段は、起動確認手段の一部となる。
【００４０】
具体的には、たとえば、ディップスイッチ１５によって電流に基づく起動判定方法が設定されている場合には、出力端子対４からの電力出力開始後にタイマ１６が所定の経過時間を計測した時点において、入力側あるいは出力側のいずれかの検出コイル１０，１１の検出電流値を取得し、この検出電流値が所定の定常電流値よりも低い場合には負荷機器は起動していないと判定する。
【００４１】
なお、上述の所定の経過時間としては、負荷機器の動作状態が定常状態となるまでの時間を採用するのが好ましい。この時間は、負荷機器に応じて異なるが、負荷機器がコンピュータ５やシーケンサなどの場合であれば起動処理が完了する数分程度の時間となる。
【００４２】
このように定常状態の負荷電流値にて判定することで、負荷電流が不安定である過度状態において判定する場合よりも確実に起動状態を正確に判定することができる。また、このように負荷電流に基づいて負荷機器の起動状態を判定することで、如何なる負荷機器が接続されようともその起動状態を判定することができる。
【００４３】
他にもたとえば、ディップスイッチ１５によって通信に基づく起動判定方法が設定されている場合には、出力端子対４からの電力出力開始後にタイマ１６が所定の経過時間を計測した時点において、通信デバイス１４から負荷機器のコンピュータ５を呼び出し、これに対する応答が無い場合には負荷機器は起動していないと判定する。
【００４４】
このように負荷機器との間で通信を行い負荷機器の起動状態を判定することで、たとえばコンピュータ５のハードウェアのみならずソフトウェアを含めて正常に起動が完了しているか否かを判定することができる。
【００４５】
起動制御プログラム１８は、中央処理装置にて実行されることで無停電電源装置１内に起動制御手段を実現するものである。この起動制御手段は、まず、ディップスイッチ１５の設定情報に応じて複数組の固定起動設定データ２１，・・・，２２の中から１つを選択して起動設定データ２０に設定し、この起動設定データ２０に基づいてインバータ９を動作させる。
【００４６】
なお、各固定起動設定データ２１，・・・，２２は、無停電電源装置１から負荷機器へ電力の供給を開始する場合のコンバータ７及びインバータ９の動作を制御する設定情報からなる。この実施の形態では、インバータ９から出力される出力電力の後述する起動期間が異なる複数の固定起動設定データ２１，・・・，２２が設けられている。具体的には、定格電圧を直に出力する固定起動設定データとともに、所定の起動期間において０Ｖから定格電圧に徐々に変化する固定起動設定データ、特にこの所定の起動期間の値が異なる複数の固定起動設定データが設けられている。なお、ユーザがディップスイッチ１５を操作する前の初期値としては、起動期間が最も長い固定起動設定データが起動設定データ２０として設定される。
【００４７】
その後、起動判定手段から負荷機器が起動していないことを通知されると、起動制御手段は、前回選択した固定起動設定データよりも起動時間が次に短い固定起動設定データを起動設定データ２０に設定し、この新しい起動設定データ２０に基づいてインバータ９を動作させる。なお、この処理は、起動判定手段が負荷機器の起動を検出するまで繰り返される。
【００４８】
このように起動期間が長い固定起動設定データから短い固定起動設定データへと順番に利用することで起動時の突入電流を必要最小限に抑えることができる。たとえば、起動時にコンバータ７を停止してバッテリ８の電力にて起動させるような場合であっても、バッテリ８の損傷や劣化を最小限に抑え、長寿命化を計ることができる。
【００４９】
そして、このような起動処理によって負荷機器が起動した後に、ディップスイッチ１５を操作して起動設定データ２０の保持が設定されると、次回からは起動制御手段は起動設定データ２０の更新処理を停止する。これにより、二回目以降の起動時には、最適な固定起動設定データに基づいて最初の起動処理が行われることになり、短時間にて負荷機器の起動処理が完了する。
【００５０】
また、このように複数組の固定起動設定データ２１，・・・，２２を設け、これを順次選択することで、ユーザにおいては具体的な設定を知ることなく、突入電流を抑制しつつ負荷機器を起動できる最適な起動設定データ２０（これは複数の固定起動設定データデータ２１，・・・，２２の中から選択されたもの）を設定することができる。
【００５１】
図３は、図２中のインバータ９の構成例を示す電気回路図である。
【００５２】
インバータ９の入力端子対２３にはトランスの一次側コイル２４およびスイッチングトランジスタ２５が直列に接続され、インバータ９の出力端子対２６にはトランスの二次側コイル２７とコンデンサ２８が並列に接続されている。
【００５３】
スイッチングトランジスタ２５の制御端子には、三角波発生回路２９の出力と正弦波発生回路３０の出力とを比較するコンパレータ３１が接続されている。また、正弦波発生回路３０には、マイクロコンピュータ１２からの振幅制御信号が入力される。
【００５４】
図４は、図３に示すインバータ９の動作を示す波形図である。
【００５５】
振幅制御信号に基づいて正弦波発生回路３０から振幅が大きい正弦波３２が出力されると、図４（Ａ）に示すように、この正弦波３２と三角波３３とを比較してコンパレータ３１からは幅が狭い制御パルス３４が出力される。スイッチングトランジスタ２５は、この制御パルス３４が入力される度にオン状態となり、この間に流れる電流によってトランスの一次側コイル２４から二次側コイル２７へ電力が供給される。
【００５６】
また、振幅制御信号に基づいて正弦波発生回路３０から振幅が小さい正弦波３５が出力されると、図４（Ｂ）に示すように、この正弦波３５と三角波３３とを比較してコンパレータ３１からは幅が広い制御パルス３６が出力される。スイッチングトランジスタ２５は、この制御パルス３６が入力される度にオン状態となり、この間に流れる電流によってトランスの一次側コイル２４から二次側コイル２７へ電力が供給される。
【００５７】
このように、振幅制御信号にて正弦波の振幅を制御することでスイッチングトランジスタ２５のオン時間（デューティ）を制御することができ、トランスの一次側から二次側へ供給される電力を増減させることができる。
【００５８】
そして、この実施の形態１では、たとえば、定格電圧を出力する定格振幅制御信号から０Ｖを出力する振幅制御信号までの複数の振幅制御信号が予め用意され、各固定起動設定データ２１，・・・，２２では、この中から使用する振幅制御信号の個数（定格電圧の分割数）や振幅制御信号の切替周期（起動期間）が設定されている。
【００５９】
具体的には、定格電圧を直に出力する固定起動設定データにおいては、定格振幅制御信号のみが選択されている。また、０Ｖから定格電圧に徐々に変化する各固定起動設定データでは、定格振幅制御信号を含む３つや５つなどの複数の振幅制御信号が選択されるとともに、それらの間での各切替周期が数十ミリ秒から数百ミリ秒程度の時間として設定されている。
【００６０】
なお、この振幅制御信号の切替自体は、ハードウェアにて構成しても良い。たとえば、抵抗とキャパシタとからなる時定数生成回路の抵抗値を固定起動設定データ毎に切り替えることで、振幅制御信号の切替周期を変化させることができる。
【００６１】
次に、このような無停電電源装置１を備える電力供給システムの全体動作について説明する。
【００６２】
ディップスイッチ１５に所望の設定がなされた状態で電源が投入されると、無停電電源装置１のマイクロコンピュータ１２は、設定に応じてコンバータ７を停止させたままあるいは動作させた後、起動制御プログラム１８を実行する。
【００６３】
起動制御手段は、ディップスイッチ１５の設定に基づいて所定の固定起動設定データ２１，・・・，２２を起動設定データ２０として読み込み、この起動設定データ２０に基づいてインバータ９の動作制御を開始する。なお、初回起動時や、起動設定データ２０の保持が設定されていない場合には、最も起動時間が長い固定設定データが読み込まれる。
【００６４】
読み込まれた起動設定データ２０の中の複数の振幅制御信号のうち、最も低電圧を出力することとなる振幅制御信号が、まず、マイクロコンピュータ１２によって設定される。すると、インバータ９の正弦波発生回路３０は、その振幅の正弦波を出力し、コンパレータ３１はこの正弦波と三角波発生回路２９から出力される三角波とを比較し、それらに応じたデューティ比の制御パルスを出力する。
【００６５】
制御パルスはスイッチングトランジスタ２５に入力され、スイッチングトランジスタ２５がオン／オフを繰り返すことにより、トランスの一次側電力が二次側へ供給される。つまりコンバータ７の出力電力あるいはバッテリ８の蓄電電力が出力端子対４から負荷機器としてのコンピュータ５へ供給される。
【００６６】
そして、起動設定データ２０中の各振幅制御信号の切替周期によって各振幅制御信号が順次更新されると、コンピュータ５への供給電力も順次増加し、最終的には定格電圧での電力がコンピュータ５に供給されることになる。
【００６７】
起動制御手段は、この所定の起動設定データ２０による電力供給開始時にあるいは制御終了時に、タイマ１６を動作させる。タイマ１６は、設定された時間の後に起動判定プログラム１９を起動させる。
【００６８】
起動判定手段は、ディップスイッチ１５の設定にて選択された起動判定方法にて負荷機器であるコンピュータ５の起動状態を判定する。そして、正常に起動していると判定した場合には、起動制御手段を停止させ、監視プログラム１７を実行させる。なお、起動時にバッテリ８の蓄電電力を使用する場合には、この時点でコンバータ７を起動させる。
【００６９】
監視手段は、商用電源３の異常を検出すると、コンバータ７の動作を停止させる。これにより、商用電源３に異常が生じたとしてもコンピュータ５には正常な電力が継続的に供給され、コンピュータ５は動作し続けることができる。また、監視手段は、ディップスイッチ１５の設定に応じて電源異常を通信デバイス１４によってコンピュータ５へ送信させ、これによりコンピュータ５では退避処理などを実施することができる。
【００７０】
また、起動判定手段が正常にコンピュータ５が起動していないと判定した場合には、その判定結果が起動制御手段に通知される。すると、起動制御手段は、インバータ９からの電力出力を停止するとともに、前回よりも起動期間が短い固定起動設定データを起動設定データ２０に設定し、これを用いて再度インバータ９からの電力の供給を再開する。
【００７１】
そして、この電力の再供給処理は、起動判定手段が正常にコンピュータ５が起動していると判定するまで繰り返される。なお、この再起動処理が繰り返されると最終的には、定格電圧をすぐに出力させる固定起動設定データとなる。
【００７２】
このように起動期間が長い固定起動設定データから順次、より短い固定起動設定データを利用しての起動処理を繰り返してコンピュータ５を起動させることにより、たとえばコンピュータ５の電源に大きなコンデンサが使用されていたとしても、突入電流の値を必要最小限に抑制しつつ、コンピュータ５を正常に起動させることができる。
【００７３】
そして、ディップスイッチ１５によって起動設定データ２０の保持が設定されると、無停電電源装置１が再起動されたとしてもそれ以降の起動設定データ２０の更新処理は停止される。これにより、無停電電源装置１の二回目以降の起動時には最小限の起動時間にてコンピュータ５を動作させることができる。
【００７４】
以上の実施の形態１は本発明の好適な実施の形態であるが、本発明はこの構成に限られるものではなく種々の変更が可能である。
【００７５】
たとえば、上記実施の形態１では、ディップスイッチ１５を用いて各種の設定を行うようにしているが、通信デバイス１４に接続されたコンピュータ５に設定プログラムをインストールし、ここから設定を行わせるようにしてもよい。
【００７６】
また、上記実施の形態１の無停電電源装置１では、出力端子対４への供給電力はコンバータ７およびインバータ９を必ず通過するものとなっているが、これらの回路をバイパスする電源ラインを設け、これらを一対のスイッチで切り替えて使用できるようにしてもよい。この場合、バイパスする商用電源に対しても所謂ソフトスタートさせるためには、インバータ９は単に商用電源と同じ定格電圧の交流電力を生成するとともに、インバータよりも後段のスイッチの後に所謂ソフトスタート回路を設ければよい。
【００７７】
さらに、上記実施の形態１では、この所謂ソフトスタートを切り替える機器として無停電電源装置１を例として説明したが、これ以外の機器、たとえば負荷機器としてのコンピュータ５に内蔵される電源などに対しても同様の機能を持たせることができる。このように負荷機器側などにおいてソフトスタートを切り替えたとしても、突入電流を抑制することができる。
【００７８】
なお、上記実施の形態１では、負荷電流を検出し、これを用いて起動判定を行っているが、負荷電流と相関関係を有する電流、たとえば入力電流などを検出し、これを用いて起動判定を行うことも可能である。
【００７９】
また、上記実施の形態１では、コンピュータ５の起動時間をタイマ１６に設定し、この時間の経過時点において起動判定を行っているが、このコンピュータ５の起動時間よりも長い期間、たとえば５分とか１０分などといった時間をタイマ１６に設定するようにしてもよい。
【００８０】
【発明の効果】
本発明では、突入電流を効果的に抑制しつつ、負荷機器を確実に起動することができる。
【図面の簡単な説明】
【図１】  本発明の実施の形態１に係る無停電電源装置を備える電力供給システムを示す全体構成図である。
【図２】  図１中の無停電電源装置の構成例を示すブロック図である。
【図３】  図２中のインバータの構成例を示す電気回路図である。
【図４】  図３に示すインバータの動作を示す波形図である。
【符号の説明】
１  無停電電源装置
２  入力端子対
３  商用電源
４  出力端子対
５  コンピュータ
６  通信ケーブル
７  コンバータ
８  バッテリ（蓄電部材）
９  インバータ
１０，１１  検出コイル（電流検出部材、起動確認手段の一部）
１２  マイクロコンピュータ（起動確認手段の一部、監視手段の一部、起動制御手段の一部、起動判定手段の一部）
１３  メモリ
１４  通信デバイス（通信部材、起動確認手段の一部）
１５  ディップスイッチ（設定部材）
１６  タイマ（計時手段、起動確認手段の一部）
１７  監視プログラム（監視手段の一部）
１８  起動制御プログラム（起動制御手段の一部）
１９  起動判定プログラム（起動判定手段の一部）
２０  起動設定データ
２１，・・・，２２  固定起動設定データ
【図１】
0004918744.tif 000002
【図２】
0004918744.tif 000003
【図３】
0004918744.tif 000004
【図４】
0004918744.tif 000005